Podtech/llm-jp-corpus-v4-ja_patent huggingface dataset:
(57)【要約】      （修正有）【課題】無断駐車車両に威圧感を与え効果的に車両の進入を防ぐ無断駐車防止装置を提供する。【解決手段】電子式リモコンの上昇ボタンを押すことで電子信号を可動内部に備え付けられた受信機が受信し、内蔵バッテリーでモーターを駆動させることによって、４本の支柱を押し上げ、可動部を上昇させる。【選択図】図１
0003175244.tif 000002
【実用新案登録請求の範囲】
【請求項１】
電子式リモコンの発信ボタンを押すことで電子信号を可動内部に備え付けられた受信機が受信し、内臓バッテリーでモーターを駆動させることによって4本の支柱を押し上げ可動部を上昇又は下降させることを特徴とする無断駐車防止装置
【考案の詳細な説明】
【技術分野】
【０００１】
本考案は無断駐車車両の進入を未然に防ぐ装置に関するものである。
【背景技術】
【０００２】
従来多くの無断駐車防止装置が考案されており、下記のような特許文献を挙げることができる。
【先行技術文献】
【特許文献】
【０００３】
【特許文献１】特開平７−２０７９７９号公報
【特許文献２】実登３１５２０５０号公報
【考案の概要】
【考案が解決しようとする課題】
【０００４】
特開平７−２０７９７９号公報は侵入制止体を利用者が車から降りて手動で操作しなければならず、雨の日など不便であるという問題があった。
【０００５】
実登３１５２０５０号公報はフラットプレートをリモコンで起立させ車両の進入を防いでいるが、その形状からも倒伏させることが比較的容易で、無断駐車車両に対して威圧効果が弱いという問題があった。
【課題を解決するための手段】
【０００６】
上記課題を解決するために、本考案の無断駐車禁止装置は電子式リモコンの上昇を指示する発信ボタンを押すことで、電子信号を可動内部に備え付けられた受信機が受信し、内臓バッテリーでモーターを駆動させることによって4本の支柱を押し上げ可動部を上昇させ、無断駐車車両の進入を防止することを可能にした。
【考案の効果】
【０００７】
本考案は、電子式リモコンの上昇を指示する発信ボタンを押すことで電子信号を可動内部に備え付けられた受信機が受信し、充電式の内臓バッテリーでモーターを駆動させることによって4本の支柱を押し上げ可動部を上昇させることで無断駐車車両の進入を防止する。
【０００８】
これにより従来手動で行っていた侵入制止体をリモコン操作でき、倒伏を前提としない形状の進入制止体となり無断駐車車両が進入するのを抑制することができる。
【０００９】
本考案の無断駐車禁止装置は充電式バッテリーにより可動するため、特別な電気工事などは必要なく容易かつ安価に設置・維持できる。
【図面の簡単な説明】
【００１０】
【図１】無断駐車防止装置可動部上昇時の全体斜視図
【図２】無断駐車防止装置可動部下降時の部分切除した全体斜視図
【図３】無断駐車防止装置下降時の左側面図
【図４】電子リモコンの斜視図
【考案を実施するための形態】
【００１１】
以下図面に基づき、本考案の無断駐車防止装置を説明する。
図１は無断駐車防止装置の可動部が上昇した際の全体斜視図を表すものである。図２は無断駐車防止装置の可動部が下降した際の一部分を切除し内部を明らかにした斜視図である。図３は無断駐車防止装置の可動部が下降した際の左側面図である。図４は電子リモコンの斜視図である。
【００１２】
各駐車スペースの入り口の地面にベースプレート３に強力アスファルト用接着剤およびアンカーボトルを打ち込むことで無断駐車防止装置を強固に地面に固定・配置する。
【００１３】
利用者が駐車中もしくは駐車車両がいない時は電子式リモコン１１の上昇を指示する発信ボタンＡ８を押すことで送信センサー１０から発せられる電子信号を可動内部に備え付けられた受信機が受信し内臓バッテリー４による電源でモーター６を駆動させることによって4本の支柱２を押し上げ可動部１を上昇させる。
【００１４】
利用者が駐車スペースに出入りする場合は電子リモコン１１の発信ボタンＢ９を押すことで可動部１が下降し、駐車および出庫することができる。
【００１５】
内臓バッテリー４は充電式となっており、カバーの左側面に取り付けられた鍵穴７に鍵を入れ回すことで出し入れ、充電することができる。
【産業上の利用可能性】
【００１６】
本考案に係る装置は、低コストで工業的に量産することが可能であるため、産業上の利用可能性を有する。
【符号の説明】
【００１７】
１  可動部カバー
２  支柱
３  ベースプレート
４  充電式バッテリー
５  制御回路
６  駆動モーター
７  鍵穴
８  発信ボタンＡ
９  発信ボタンＢ
１０  送信センサー
１１  電子式リモコン
【図１】
0003175244.tif 000003
【図２】
0003175244.tif 000004
【図３】
0003175244.tif 000005
【図４】
0003175244.tif 000006
(57)【要約】      （修正有）【課題】地震等により家屋が倒壊し人が圧死などの災害から身を守る為の、設置式の避難用に作られた、開口部が大きい立方体を提供する。【解決手段】壁の袖に開口を設けるのではなく、壁自体に開口部を設け、その構造で強度を持たせることにした。それにより、開口部の広さを利用し、布団を引くことも可能になり、就寝時も使用できる。【選択図】図１
0003175278.tif 000002
【実用新案登録請求の範囲】
【請求項１】
補強構造を持ち大きな開口部をもったパネルを壁とし、補強構造を持つ床と天井に配置し、ボルト等で組み上げる構造を持つ避難用の立方体の構造。
【考案の詳細な説明】
【技術分野】本考案は、地震等により家屋が倒壊し人が圧死などの災害から身を守る為の、設置式の避難用に作られた、開口部が大きい立方体である。
【背景技術】従来、住宅内部などでの使用において簡易に設置が出来る有効性の高い設備があったが、開口部が小さく、その部分を改善した。
【考案の開示】
【考案が解決しようとする課題】住宅内に堅牢なエリアを設ける避難用の箱はあったが、強度を持たせるため開口部が小さく、開口部を大きくするためには強度を犠牲にする必要があった。本考案は侵入しやすいように開口部を大きくしつつ、強度を維持した考案である。
【課題が解決しようとするための手段】
この考案は、開口部を大きくとることにより、強度の落ちる上部に天井構造を乗せることと、補強を図ることとした。
斜め方向へは、一面に対し、２か所のブレスを入れた。
［図２］Ａは間口を大きくとり、ブレスを２か所入れた強固な壁であり、Ｂは天井と床部品で角パイプと合板などの組み合わせで強固なパネルである。
ＡとＢを［図１］のようにボルトなどで組み立てる。
Ｂは落下物や床から飛び出してくる構造材に対抗する強度を持つ。
【考案の効果】
各方向からの対抗力が増した。
そして、侵入用の開口部が大きくなった。
【考案を実施する為の最良の形態】
【産業上の利用可能性】
【図面の簡単な説明】
【図１】正面図  「避難箱を正面から示した図である。背面図も同じ形となるので省略。」
【図２】部品の形状  「Ａは、壁構造部品で、角パイプなどで組まれた骨組み状の壁部品である。」  「Ｂは、床・天井部品でＡのような構造体に合板などの板を貼り付けたパネル上の部品である。点線は内部補強を表している。」
【図３】参考図  使用方法の説明に使用する参考図
【符号の説明】
【図１】
0003175278.tif 000003
【図２】
0003175278.tif 000004
【図３】
0003175278.tif 000005
【手続補正書】
【提出日】平成23年10月20日(2011.10.20)
【手続補正１】
【補正対象書類名】実用新案登録請求の範囲
【補正対象項目名】全文
【補正方法】変更
【補正の内容】
【実用新案登録請求の範囲】
【請求項１】
補強構造を持ち大きな開口部をもったパネルを壁とし、同じく補強構造を持ち開口部の無いパネルを床と天井に配置し、それぞれをボルト等で組み上げる構造を持つ、避難用の立方体の構造で、［図２］部品の形状のＡが、開口部を持つパネルで四方の壁であり、Ｂが開口部の無いパネルで床と天井になる。
【手続補正書】
【提出日】平成24年2月13日(2012.2.13)
【手続補正１】
【補正対象書類名】実用新案登録請求の範囲
【補正対象項目名】全文
【補正方法】変更
【補正の内容】
【実用新案登録請求の範囲】
【請求項１】
四角形に組んだ骨組みの左右上部それぞれへ斜めの骨組みで筋交いをもつことにより中心下部へ大きな開口部を得ることが出来る形の壁をもち床と天井へそれぞれをボルト等で組み上げる家屋倒壊時避難用に使用する立方体の構造。
(57)【要約】      （修正有）【課題】メガネレンズをヘアーバンドにセットし、ヘアーバンドにいろいろの装飾をして頭の上に飾る事により、外出時のおしゃれにもなり、日常、常備していることにより、バックの中や、家中探す手間や、メガネを首からつるした時、仕事のじゃまになったり、はずれ落る欠点をなくすことが出来るヘアーバンドを兼ねたメガネを提供する。【解決手段】全体を弾力性のあるプラスチックを使用してヘアーバンド１を形成する。さらに該ヘアバンド１の、レンズ２を入れる部分に穴を明け、その穴にメガネレンズを入れてヘアーバンドを兼ねたメガネとする。さらには、ヘアーバンドの全体を、メガネ、サングラス、拡大鏡等にし、メガネレンズとヘアーバンドを一体形成して仕上げたヘアーバンドを兼ねたメガネとしても良い。【選択図】図１
0003175282.tif 000002
【実用新案登録請求の範囲】
【請求項１】
ヘアーバンド１の上部に、メガネレンズ２を入れたヘアーバンドを兼ねたメガネ。
【請求項２】
ヘアーバンド１の上部に、拡大鏡２を入れたヘアーバンドを兼ねたメガネ。
【請求項３】
ヘアーバンド１の上部にＵ字型のくびれと、両耳にかかる部分にくびれを入れたヘアーバンドを兼ねたメガネ。
【請求項４】
ヘアーバンド自体の上部全体をメガネレンズ及び拡大鏡にして整作したヘアーバンドを兼ねたメガネ。
【考案の詳細な説明】
【技術分野】
【０００１】この考案はヘアーバンドの上部に穴を開け、その穴にメガネレンズを入れたヘアーバンドを兼ねたメガネである。
【背景技術】
【０００２】従来は視力補強の為のメガネは眼鏡。おしゃれのためのヘアーバンドはヘアーバンドと、それぞれの分野に分かれております。
この考案は、ヘアーバンドにメガネレンズを入れ込み、ひとつの製品にしました。
【考案が解決しようとする課題】
【０００３】１例として、年齢と共に視力が弱まり、老眼などになりますと、メガネをかけたりはずしたりの頻度が激しくなる。その為、メガネを置き忘れて探したり、外出先で、バックの中を探したり、大変である。
首からひもでつるしても、仕事中、メガネをひもで下げている時は事務の仕事やミシンでの作業の等の時、下げたメガネが机や台の角にあたり、仕事をしにくい。その様な時の欠点をなくする為である。
【課題を解決するための手段】
【０００４】本考案の課題解決手段は、全体を弾力性のあるプラスチックを使用し、レンズを入れる部分に穴を有し、その穴にメガネレンズを入れたヘアーバンドである。
【０００５】もうひとつの手段としては、ヘアーバンドの全体を、メガネ、サングラス、拡大鏡等にして、メガネレンズとヘアーバンドを１体化して仕上げたヘアーバンドを兼ねたメガネである。
【考案の効課】
【０００６】メガネレンズをヘアーバンドにセットし、ヘアーバンドにいろいろの装飾をして頭の上に飾る事により、外出時のおしゃれにもなり、日常、常備していることにより、バックの中や、家中探す手間や、メガネを首からつるした時、仕事のじゃまになったり、はずれ落る欠点をなくする効課がある。
【考案を実施するための最良の形態】
【０００７】全体に弾力性を生かすために、プラスチックを使用。
【図面の簡単な説明】
【０００８】
【図１】本考案の斜視図
【図２】本考案のヘアーバンドの頂上と両サイドにくびれを入れた場合の斜視図
【図３】ヘアーバンド自体の上部をメガネレンズ及び拡大鏡にして整作したヘアーバンドを兼ねたメガネの斜視図。
【図４】本考案の平面図
【図５】本考案のヘアーバンドにくびれを入れた場合の平面図。
【図６】ヘアーバンド自体の上部を、メガネレンズ及び拡大鏡にして整作したヘアーバンドを兼ねたメガネの平面図。
【符号の説明】
【０００９】１．ヘアーバンド
２  メガネレンズ及び拡大鏡
【図１】
0003175282.tif 000003
【図２】
0003175282.tif 000004
【図３】
0003175282.tif 000005
【図４】
0003175282.tif 000006
【図５】
0003175282.tif 000007
【図６】
0003175282.tif 000008
【手続補正書】
【提出日】平成24年2月6日(2012.2.6)
【手続補正１】
【補正対象書類名】実用新案登録請求の範囲
【補正対象項目名】全文
【補正方法】変更
【補正の内容】
【実用新案登録請求の範囲】
【請求項１】
ヘアーバンド１の上部に、メガネレンズ２を入れたヘアーバンドを兼ねたメガネ。
【請求項２】
ヘアーバンド１の上部に、拡大鏡２を入れたヘアーバンドを兼ねたメガネ。
【請求項３】
ヘアーバンド１の上部にＵ字型のくびれと、両耳にかかる部分にくびれを入れた請求項１または２に記載のヘアーバンドを兼ねたメガネ。
【請求項４】
ヘアーバンド自体の上部全体をメガネレンズまたは拡大鏡にして製作したヘアーバンドを兼ねたメガネ。
(57)【要約】      （修正有）【課題】コンベックススケールでノギスと同じ精度で小数点以下１桁の寸法値を測定することが出来るバーニヤ目盛り付コンベックススケールを提供する。【解決手段】ノギスのバーニア目盛３の目盛板２を作成してそれをコンベックススケール１の底面に取り付けて一体としてバーニヤ目盛付コンベックススケールを形成する。【選択図】図１
0003175286.tif 000002
【実用新案登録請求の範囲】
【請求項１】
ノギスのバ−ニヤ目盛３の目盛板２を作成してそれをコンベックススケ−ル１の底面に取り付けて一体とした物
【考案の詳細な説明】
【考案の詳細な説明】
【考案が解決しようとする課題】
【０００１】コンベックススケ−ルで３２５．５ｍｍのような小数点以下１桁の寸法値を測定出来るようにしたい
【課題を解決するための手段】
【０００２】ノギスのバ−ニア目盛の目盛板を作成して、それをコンベックススケ−ルの底面に取り付けて一体とした
【考案の効果】
【０００３】コンベックススケ−ルでノギスと同じ精度の寸法測定が可能になった
【図面の簡単な説明】
【図１】本考案の実施例を示すコンベックススケ−ルと目盛板の平面図である
【図２】図１の実施例の正面図である
【図３】図１の実施例に用いられる目盛板の斜視図である
【図４】図１の実施例の組立斜視図である
【符号の説明】１      コンベックススケ−ル
２      目盛板
３      バ−ニア目盛
４      数値
５      測定物
６      止めネジ用穴
７      数値
【図１】
0003175286.tif 000003
【図２】
0003175286.tif 000004
【図３】
0003175286.tif 000005
【図４】
0003175286.tif 000006
【手続補正書】
【提出日】平成24年2月7日(2012.2.7)
【手続補正１】
【補正対象書類名】実用新案登録請求の範囲
【補正対象項目名】全文
【補正方法】変更
【補正の内容】
【実用新案登録請求の範囲】
【請求項１】
・ノギスのバーニヤ目盛の目盛板を作成して
それをコンベックススケールの底面に取り付けて一体とした
ノギス目盛板付コンベックススケ−ル
(57)【要約】      （修正有）【課題】章の目次ごとに、勉強した回数を記録できるブックカバー又は表紙を提供する。【解決手段】本本体の表紙及びブックカバー１に３段の表を印刷し、１段目に本の章番号３、２段目に章の要約した内容４、３段目に章ごとの勉強回数のカウントを書き込むスペース５を印刷する。【選択図】図１
0003175288.tif 000002
【実用新案登録請求の範囲】
【請求項１】
本の表紙とブックカバーに、章ごとに番号と内容とその内容を勉強した回数をカウントできるスペースを持つ表を印刷し、章を勉強する度に回数を書き込むことができることを特徴とした章ごとの勉強回数記録表付きブックカバー及び表紙
【考案の詳細な説明】
【技術分野】
【０００１】  本にに掛けるブックカバー及び本の表紙に、章ごとに勉強回数を記録できる表を印刷したものである。
【背景技術】
【０００２】  本を勉強しながら、どこの章が回数的に勉強不足か、中身を見ながら点検しなければならなかった。
【考案の概要】
【考案が解決しようとする課題】
【０００３】  中身を見ながらの点検は、時間的に効率が悪く、見落とすことも多い。また、好きな分野ばかり偏って勉強することも起こり得た。従って、勉強する度に、目に付きやすいところに印刷されている表に回数を記入することによって、表を見るだけで、回数が確認でき前述の欠点を解決しようとするものである。、
【課題を解決するための手段】
【０００４】  本考案は本に掛けるブックカバーと本の表紙に章ごとの目次を表にして印刷する。
その表に、勉強する度、何回勉強したか記録することによって問題点を解決している。
【考案の効果】
【０００５】  上述の様に、本考案の章ごとの勉強回数記録表付きブックカバー及び表紙は、学校教育のみならずあらゆる資格試験の問題集、参考書、本に印刷でき、効率的に勉強することに役にたつ。
【図面の簡単な説明】
【０００６】
【図１】本考案の勉強回数記録表付きブックカバー及び表紙の実施例を示す図である。
【考案を実施するための形態】
【０００７】  本のできるだけ見やすい位置に、章ごとの目次を表にして、印刷し、勉強する度カウントするスペースを設ける。
【実施例】
【０００８】  以下、添付図面に従って一実施例を説明する。１は本、２は表全体。３は表の章が印刷されたスペース。４は、章の要約した内容を印刷したスペース。５は、勉強回数のカウントを正という字をつかったり○を塗ったりして書き込むスペース。
【符号の説明】
【０００９】１  本
２  表全体
３  本の章番号が印刷されたスペース
４  章の要約した内容を印刷したスペース。
５  章ごとの勉強回数のカウントを書き込むスペース。
【図１】
0003175288.tif 000003
【手続補正書】
【提出日】平成24年2月2日(2012.2.2)
【手続補正１】
【補正対象書類名】実用新案登録請求の範囲
【補正対象項目名】全文
【補正方法】変更
【補正の内容】
【実用新案登録請求の範囲】
【請求項１】
本の表紙又はブックカバーに３段の表を印刷し、１段目に本の章番号を、２段目に章の要約した内容を印刷して、３段目を章ごとの勉強回数を書き込むためのスペースとしたことを特徴とする章ごとの勉強回数記録表付きブックカバー又は表紙
(57)【要約】      （修正有）【課題】傘立ての様に場所を要さない傘入れを提供する。【解決手段】板に傘を納めるふくろを設けそれを板に固定し、壁等に掛けることで、傘立てのスペースを要さないので玄関等を有効に使える。以上の様に、壁掛け式傘入れは傘立てと異りスペースを必要としないので、場所を多面的に活用することに役立つ。【選択図】図２
0003175283.tif 000002
【実用新案登録請求の範囲】
【請求項１】
板にふくろを複数取付た壁掛け傘入れ。
【考案の詳細な説明】
【技術分野】
【０００１】  本考案は板面に設けた傘入れに傘を納められる構造になっており、壁に掛けて用いる傘入れに関するものである。
【背景技術】
【０００２】  傘立ては置くスペースを要するため、置場が限定さていた。
【考案の開示】
【考案が解決しようとする課題】
【０００３】  傘を納める傘立て置場に場所を取るため、場所が限定されていた。傘入れを壁掛けにすることにより、前途の欠点を解決しようとするものである。
【問題を解決するための手段】
【０００４】  本考案は、傘入れを壁に掛けることで問題点を解決している。
【考案の効果】
【０００５】  上途の様に、壁掛け式傘入れは傘立てと異りスペースを必要としないので、場所を多面的に活用することに役立つ。
【考案を実施するための最良の形態】
【０００６】  板面に傘を納めるふくろ状のものを複数固定し、そこに傘を納めその板を壁に掛ける。
【実施例】
【０００７】  以下、添付図に従って実施例を説明する。１は、傘を納めるふくろ部分でここに納める。２は、そのふくろを固定した板で、壁に掛けられる様にする。【０００８】  本考案の実施例は、上途の如き構成からなるものであり、図３に示すように用いられる。
【図面の簡単な説明】
【０００９】
【図１】本考案の正面図
【図２】本考案の側面図
【図３】本考案の実施例図
【符号の説明】
【００１０】１．板
２．ふくろ
【図１】
0003175283.tif 000003
【図２】
0003175283.tif 000004
【図３】
0003175283.tif 000005
【手続補正書】
【提出日】平成24年2月10日(2012.2.10)
【手続補正１】
【補正対象書類名】実用新案登録請求の範囲
【補正対象項目名】全文
【補正方法】変更
【補正の内容】
【実用新案登録請求の範囲】
【請求項１】
板の上部に壁に引っ掛けられる穴をあけ又、板に筒状のふくろを取付け傘を挿入できることを特徴とする傘入れ。
(57)【要約】      （修正有）【課題】建築物の一部の部屋が筏となる公共施設を提供する。【解決手段】公共施設の部屋の一部に柱桁２及び合板３を用いて形成されるとともに、床状部分を形成する２枚の合板の間には、根太５及び発泡ウレタンが設けられてなる部屋状の救命筏を設置してなる。【選択図】図３
0003175285.tif 000002
【実用新案登録請求の範囲】
【請求項１】
筏のある建物は建築物の一部であり、津波到来時にシェルターの役割を果たす救命筏となる。
【考案の詳細な説明】
【技術分野】
【０００１】
本考案は公共施設に設置された津波被害時用の救命筏に関するものです。
【背景技術】
【０００２】
平成23年3月11日に発生した津波により、多くの犠牲が発生した。建築物が波に飲まれ、破壊され人やペットも流されてしまいました。高台に逃げるほか方法はないが、時間もない、襲来から脱出できず命や貴重品も失ってしまった。
【先行技術文献】
【特許文献】
【０００３】
【特許文献１】（非）特許文献
【考案の概要】
【考案が解決しようとする課題】
【０００４】
津波が発生し、襲来前までに高台に避難するには、健常者以外の保育園・幼稚園児本人とその保育士、老人養護施設の本人とその管理者は、自力で避難活動が出来ない人を置いていく事はできないので、時間がかかったり、体力的に負担が大きい。外出していて、情報が遅れ津波の直前に知った場合など、平地に避難できる施設が近く若しくは建物に必要になる。
【課題を解決するための手段】
【０００５】
津波に襲われ建築物が破壊する。それに対抗する様、建築物全体に強度を持たせることは可能であるが、木造建築物であると強度を持たせるには限界がある。建築コストを考え、鉄筋コンクリートではなく、木造建築物で通常の建物の一部が脱出用のシェルターとして救命筏を設ける。本来、津波警報が発生してから、屋外に出て避難所まで向かわなくてはならなく、避難場所到着まで時間を要する。筏のある建物の場合は、建物内に設置している救命筏への移動なので、避難時間が短くて済む。又、近くに避難施設があれば緊急で避難できる。
【考案の効果】
【０００６】
上述のように、本考案の筏のある建物は緊急救命筏を建物内に設置することにより、津波発生時には即座に避難することができる。又、常時に貴重品の保管場所として利用することも出来る。
【図面の簡単な説明】
【０００７】
【図１】公園に設置する筏のある建物の断面図である。
【図２】公共施設建築の部屋の一部が筏となる断面図である。
【図３】筏のある建物を示した公園に設置した断面図である。
【図４】筏のある建物を示した公共施設の部屋の一部に設置した断面図である。
【考案を実施するための形態】
【０００８】
模型及び実物大を作成し、実験を行う。
【実施例】
【０００９】
建築物本体と救命筏の模型を作成し、切り離し出来ることを確認する。
【産業上の利用可能性】
【００１０】
建築物の一部である救命筏を上記の実験結果に基づき安全を確認して、設計し、監理を行う。
【符号の説明】
【００１１】
１．  筏本体である。
２．  筏の柱・桁  １０５mm×１０５ｍｍ、１２０mm×１２０ｍｍ等
鉄骨は薄肉角パイプに発泡ウレタン充填、断面寸法は大きさに応じて構造計算する。
３.   合板２４ｍｍ又は１２ｍｍ２枚重ね
４．  水の浸入を防ぐ発泡体
５．  根太（各寸法により構造計算された部材）
６．  水切りカット（各寸法により構造計算された部材）
７．  ２階
８．  １階
９．  ワイヤー（断面寸法は大きさに応じて構造計算する）
１０． 津波アンカー（断面寸法は大きさに応じて構造計算する）
11． 基礎
１２． ガルバニウム鋼板
１３． 内部ウレタン防水
【図１】
0003175285.tif 000003
【図２】
0003175285.tif 000004
【図３】
0003175285.tif 000005
【図４】
0003175285.tif 000006
【手続補正書】
【提出日】平成24年2月15日(2012.2.15)
【手続補正１】
【補正対象書類名】実用新案登録請求の範囲
【補正対象項目名】全文
【補正方法】変更
【補正の内容】
【実用新案登録請求の範囲】
【請求項１】
公共施設の部屋の一部に柱桁及び合板を用いて形成されるとともに床状部分形成する2枚の合板の間には、
根太及び発泡ウレタンが設けられてなる部屋状の救命筏を設置してなる公共施設
【請求項２】
公園に設置する公共施設に柱桁及び合板を用いて形成されるとともに床状部分形成する2枚の合板の間には、
根太及び発泡ウレタンが設けられてなる部屋状の救命筏を２Ｆ全部に設置してなる公共施設
(57)【要約】      （修正有）【課題】懸垂具に簡単に取り付けを出来る懸垂用鉢受け金具を提供する。【解決手段】懸垂具に取り付ける為のフック状の取り付け部と、鉢を差し込んで取り付け可能なリングを有する。【選択図】図１
0003175294.tif 000002
【実用新案登録請求の範囲】
【請求項１】
懸垂具に取り付けるためのフック状の取り付け部を有する懸垂用鉢受け金具。
【請求項２】
前記懸垂具と前記取り付け部とを結合するフック状補助金具を有する請求項１記載の懸垂用鉢受け金具。
【請求項３】
前記懸垂用鉢受け金具は、鉢を差し込んで取り付け可能なリングを有する請求項２記載の懸垂用鉢受け金具。
【考案の詳細な説明】
【技術分野】
【０００１】  本考案は植木鉢に関する懸垂用鉢受け金具に関わるものである。
【背景技術】
【０００２】  従来の耐震鉢受け装置、耐震用鉢受け金具装置は懸垂に不便を生じるのである。
【先行技術文献】
【特許文献】
【０００３】
【特許文献１】登録実用新案第３１７０８２３号公報
【特許文献２】登録実用新案第３１７０８２２号公報
【考案の概要】
【考案が解決しようとする課題】
【０００４】  しかし、これでは懸垂に取り付けることが出来ない為に不便を生じるのである。
【課題を解決するための手段】
【０００５】  懸垂具に取り付けるためのフック状の取り付け部を有する懸垂用鉢受け金具。【０００６】  前記懸垂具と前記取り付け部とを結合するフック状補助金具を有する懸垂用鉢受け金具。【０００７】  前記懸垂用鉢受け金具は、鉢を差し込んで取り付け可能なリングを有する懸垂用鉢受け金具。
【考案の効果】
【０００８】  懸垂用鉢受け金具は、懸垂具に簡単に懸垂用鉢受け金具を取り付けを出来る又、樹木の枝等に備えると自然環境に植物が適している又、高い枝の場合は鉢受け金具にフック補助金具を取り付ける又、物干し竿等にも取り付けることも出来る又、地震時にも揺れても懸垂用鉢受け金具に鉢を備えても落下防止の為に大事な植物鉢を管理をすることで安心である。
【図面の簡単な説明】
【０００９】
【図１】  本考案に係わる懸垂用鉢受け金具を懸垂具に取り付けと鉢を備えた斜視図である。
【図２】  本考案に係わる懸垂用鉢受け金具に懸垂具高所時にフック補助金具と鉢を備えた斜視図である。
【考案を実施するための形態】
【００１０】  本考案に関わる懸垂用鉢受け金具図１，２に示すように図１の懸垂具６に懸垂用鉢受け金具１のフック３を取り付けとリング４に鉢５を備えた。
【００１１】  図２に示すように懸垂具６の高所時にフック補助金具２のフック３ａを懸垂具６に取り付けと懸垂用鉢受け金具１のフック３にフック３ｂを取り付けとリング４に鉢５を備えた。
【符号の説明】
【００１２】  １  鉢受け金具          ２  フック補助金具        ３  フック
３ａ  フック            ３ｂ  フック                ４  リング
５  鉢                  ６  懸垂具
【図１】
0003175294.tif 000003
【図２】
0003175294.tif 000004
【手続補正書】
【提出日】平成24年2月6日(2012.2.6)
【手続補正１】
【補正対象書類名】実用新案登録請求の範囲
【補正対象項目名】全文
【補正方法】変更
【補正の内容】
【実用新案登録請求の範囲】
【請求項１】
懸垂具に取り付けるためのフック状の取り付け部を有する懸垂用鉢受け金具。
【請求項２】
両端にフックを有し、一端が前記懸垂具に取り付けられ、他端に前記取り付け部のフックが取り付けられることで、前記懸垂具と前記取り付け部とを結合するフック状補助金具を有する請求項１記載の懸垂用鉢受け金具。
【請求項３】
前記懸垂用鉢受け金具は、鉢を差し込んで取り付け可能なリングを有する請求項２記載の懸垂用鉢受け金具。
(57)【要約】      （修正有）【課題】頭部を包み、フィットするが、頭を押さえ付けず、締め付けずに、軽い帽子となり、見た目にも軽やかであり、手軽に頭部の指圧も行える指圧帽子を提供する。【解決手段】細い樹脂棒１で縦に頭部をぐるり囲んで包み、それらは横に回した樹脂ベルト３が固定し、樹脂棒の先の丸み２が頭のツボ等に当たりフィット、ベルト両側の小さな突起によりサイドの髪も押さえ付けない。【選択図】図１
0003175292.tif 000002
【実用新案登録請求の範囲】
【請求項１】
軽くて、弾力性のある細い、複数の樹脂棒を縦にして頭部を包むように囲んで骨組みをつくり、それらの樹脂棒の先は丸くなって頭のツボ等に当たり、頭部にフィットするが、次にそれらの樹脂棒は、頭部を横に巻くハチマキのような樹脂ベルトによって固定され、バイクヘルメットが頭部を包むように、縦横に骨組みされた樹脂棒とベルトが頭部をしっかりつかんでフィットし、それによってつばを支える指圧帽子である。
【請求項２】
請求項１に係る指圧帽子において、その両サイド内側に多数の小さな突起が設けられた樹脂ベルトである。
【考案の詳細な説明】
【技術分野】
【０００１】  本考案は、樹脂や布そして金属からなる指圧帽子に関する。
【背景技術】
【０００２】  頭のトップの髪の毛を押さえ付けないためのサンバイザー帽子が良く知られている
【考案の開示】
【考案が解決しようとする課題】
【０００３】  しかしながら、つばを頭に固定するのはハチマキ状の帯だけなので、ずれないように、落ちないようにするために、帯で頭部を締め付ける、側頭部の髪をペタンコにするといった欠点があった。
【課題を解決するための手段】
【０００４】    本考案は、軽くて弾力性のある複数の細い樹脂棒を縦にして頭部を包むように囲んで骨組みをつくり、そしてそれらの樹脂棒の先は丸くなって、頭のツボに等に当たり、頭部にフィットするが、それらの樹脂棒はハチマキのように頭部を横に巻く樹脂ベルトにより固定され、そのベルトには、それが側頭部から後頭部に当たるベルトの内側に多数の小さな突起が付いており、そのベルトは後頭部で接続するが、このようにしてバイクヘルメットが頭を包むように、縦横に骨組みされた樹脂棒とベルトが頭部をしっかりつかみ、フィットし、それによってつばが支えられ、よってベルトで頭部を締め付ける必要が無くなり、髪の毛をペタンコにすることなく、日よけが出来、指や手のひらで押して指圧も行う、これにより指圧帽子が完成し、上記課題を解決するものである。
【考案を実施するための形態】
【０００５】  図１に示すように，複数の細い弾力性のある樹脂棒１が頭部を縦に囲んで包むが棒の先は丸く２なっておりツボ等に当たるが、それらの棒は頭をハチマキのように横に巻く樹脂ベルト３によって固定され、それは後頭部で接続される。
図２は着用時イメージ図４である
【０００６】  図３に示すように側頭部から後頭部に当たるベルトの内側には多数の小さな突起５を設ける
【０００７】  上記工程により完成した指圧帽子は軽くて細い樹脂棒とベルトが縦、横に組み立てられて頭部を包み、フィットするが、頭を押さえ付けず、締め付けずに、軽い帽子となり、樹脂棒は細いので髪の毛で覆われて、見た目にも軽やかであり、手軽に頭部の指圧も行える。
【考案の効果】
【０００８】本考案に係る指圧帽子は人の頭部にそって樹脂棒や横ベルトでヘルメットのように頭部を包んだ形で骨組みをつくるものなので、原料も樹脂や布、金属等により、軽量で、女性であれば一つは必要なもので実用性にも優れているものである。
【図面の簡単な説明】
【０００９】
【図１】  本考案に係る指圧帽子の製造における工程図である
【図２】  本考案に係る指圧帽子の着用時のイメージ図である
【図３】  本考案に係る指圧帽子のベルト図である
【００１０】１・・・・・樹脂棒
２・・・・・樹脂棒の先端
３・・・・・樹脂ベルト
４・・・・・着用時イメージ図
５・・・・・樹脂ベルトの小さな突起
【図１】
0003175292.tif 000003
【図２】
0003175292.tif 000004
【図３】
0003175292.tif 000005
【手続補正書】
【提出日】平成24年2月13日(2012.2.13)
【手続補正１】
【補正対象書類名】実用新案登録請求の範囲
【補正対象項目名】全文
【補正方法】変更
【補正の内容】
【実用新案登録請求の範囲】
【請求項１】
軽くて、弾力性のある細い、複数の樹脂棒を縦にして頭部を包むように囲んで骨組みをつくり、それらの樹脂棒の先は丸くなって頭のツボ等に当たり、頭部にフィットするが、次にそれらの樹脂棒は、頭部を横に巻くハチマキのような樹脂ベルトによって固定され、バイクヘルメットが頭部を包むように、縦横に骨組みされた樹脂棒とベルトが頭部をしっかりつかんでフィット、それによってつばを支える指圧帽子。
【請求項２】
樹脂ベルトの両サイド内側に多数の小さな突起が設けられている請求項１に記載の指圧帽子。
(57)【要約】      （修正有）【課題】採尿パックを安定的に取り付けることができ、取り外しにかかる時間を短縮できる採尿パック取り付けフックを提供する。【解決手段】ベッド側柵の穴の径より小さい径の樹脂製パイプと、その上部に樹脂製キャップを設け、パイプ上部とキャップ中央部に金属製のフックを取り付ける。【選択図】図１
0003175296.tif 000002
【実用新案登録請求の範囲】
【請求項１】
ベッド側柵の穴の径より小さい径の樹脂製パイプと、その上部に樹脂製キャップを設け、パイプ上部とキャップ中央部に金属製のフックを取り付けたことを特徴とする、採尿パック取り付けフック。
【考案の詳細な説明】
【技術分野】
【０００１】本考案は、採尿パックの取り付けフックに関するものである。
【背景技術】
【０００２】今まで採尿パックに取り付けられていたもので採尿パックを固定した場合、安定感がなく尿測に不便。又ベッド柵の取り外しの度に時間のロスが大きい。又インレットチューブ固定箇所がなく、ベッドの柵にはさまったり、折れ曲がったりして尿の流れが悪くなり尿漏れのおこる恐れがあり。カテーテルとパックの接合部分に十分気を配る必要があり、取り付け直したり、パックの傾きを直したりしないといけないという大きな問題があった。
【考案の概要】
【考案が解決しようとする課題】
【０００３】今までの採尿パックの取り付け方では、採尿パックが傾いたり、インレットチューブが折れ曲がり尿漏れがしたりする。また患者移動時にパックを柵から取りはずすのに手間がかかり時間ロスもあります。本考案は、手間と時間のロスをいかに短縮し、かつ安定的に採尿パックを取り付ける事ができるか、又患者の為に苦痛を少しでもやわらげる事ができるようにと思い、考案したものです。
【課題を解決するための手段】
【０００４】本考案は、ベッド柵のさしこむ部分を利用し、それにパイプを差し込み、またパイプにはキャップを取り付け、それぞれにフックを取り付け、採尿パックと、インレットチューブをかけ上記課題を解決したものであり、ベッド側柵の穴の径より小さい径の樹脂製パイプと、その上部に樹脂製キャップを設け、パイプ上部とキャップ中央部に金属製のフックを取り付けたことを特徴とする、採尿パック取り付けフックである。
【考案の効果】
【０００５】採尿パックを取り外す時、ストラップや固定用ベルトをはずすのにかかった時間より、採尿パック取り付けフックを利用した場合、時間は短縮された。【０００６】しかも採尿パック取り付けに採尿パック取り付けフックを使用した場合、傾きがなくなり尿測もすぐ出来るようになった。また今までより採尿パックが安定する効果がある。【０００７】さらにインレットチューブの固定箇所が今までなかったが、採尿パック取り付けフックを利用して取り付けると、インレットチューブがはさまったり、折れ曲がったりしないので、尿の流れもスムーズになり、又尿漏れの心配もなくなり、手間も省ける。【０００８】その上、採尿パック取り付けフックを使用したら見た目もすっきりし、不安もなく作業ができる。
【図面の簡単な説明】
【０００９】
【図１】  採尿パック取り付けフックの全体図である
【図２】  樹脂製パイプである
【図３】  樹脂製パイプのキャップである
【図４】  スチール製エンビ皮覆のインレットチューブをはさむフックである
【図５】  スチール製エンビ皮覆の採尿パックの取り付けフックである
【図６】  図１に採尿パック、インレットチューブを装着した図である
【図７】  ベッドに採尿パック取り付けフックを装着した図である
【考案を実施するための形態】
【００１０】図１で本考案を詳しく説明する。本考案のフックはベッド側柵の穴の径より小さい樹脂製パイプ（図２）に樹脂製キャップ（図３）をかぶせ、スチール製エンビ皮覆のインレットチューブをはさむフック（図４）を樹脂製キャップに取り付け、そしてスチール製エンビ皮覆のインレットチューブをはさむフック（図５）を樹脂製パイプに取り付けたものである。
【００１１】図１の採尿パック取り付けフックは、ベッド柵にある穴を利用し、穴の底部にしっかり密着するまで差し込んで取り付ける。取り付けた、採尿パック取り付けフック図１に取り付けられた（３）のフックに採尿パックのインレットチューブを折れ曲がりがないようにはさんで、尿路をしっかり確保する。
【００１２】図１に取り付けられた、４のフックには、採尿パック上部の穴を利用して採尿パックをかけ、安定させる。
【００１３】この両方のフック、図４、図５には、エアーベッドのエアチューブをはさんで、ベッドのまわりの危険防止にも使用可能。
【００１４】本考案の取り付けパイプの長さは、ベッドのマットレスの厚さにより、適宜調整が必要である。例えば普通のマットレスの場合は、図７のパイプの長さは２９０ｍｍ位が適当であり、エアーベッドの場合は３３０ｍｍ位が適当である。
【符号の説明】１．  樹脂製パイプ
２．  樹脂製キャップ
３．  金属製インレットチューブ用フック
４．  金属製採尿パック用フック
５．  採尿パック
６．  インレットチューブ
７．  ベッドのパイプの穴
８．  ベッドのパイプ
【図１】
0003175296.tif 000003
【図２】
0003175296.tif 000004
【図３】
0003175296.tif 000005
【図４】
0003175296.tif 000006
【図５】
0003175296.tif 000007
【図６】
0003175296.tif 000008
【図７】
0003175296.tif 000009
(57)【要約】      （修正有）【課題】住宅ローンの借り換えの可否が一目瞭然で判断できるヒアリングシートを提供する。【解決手段】上から順に、家族構成記入欄と、年収記入欄と、借入金額記入欄とを有する。家族構成記入欄は、年齢記入欄と、その右横に職業記入欄を備える。年収記入欄は、勤続年数記入欄を備える。借入金額記入欄は、隣接するローン残高記入欄とローン残年数記入欄を備え、それらの縦下方向に当初借入額記入欄と現在の金利記入欄を備える。【選択図】図１
0003175293.tif 000002
【実用新案登録請求の範囲】
【請求項１】
年齢記入欄と職業記入欄を備える「家族構成」記入欄と過去３年分の年収記入欄と勤続年数記入欄を備える「年収」記入欄と当初借入額の記入欄とローンの残高記入欄とローン年数記入欄と現在の金利記入欄を備えた「借入金額」記入欄を特徴とする「住宅ローンの借り換えの可否」を判断するヒアリングシート。
【考案の詳細な説明】
【技術分野】
【０００１】  本考案は、「住宅ローンの借り換えの可否」の相談時に使用するヒアリングシートに関するものである。
【背景技術】
【０００２】  「家族構成」・「年収」・「現状の借入金額」等を複数枚に亘って記入させ、実際の判断には不要な情報を書かせているヒアリングシートが多く、住宅ローンの借り換えの可否に必要な情報だけを一体化して１枚のシートにして見やすくしたものはほとんど見られない。
【考案の概要】
【考案が解決しようとする課題】
【０００３】  ヒアリングシートの各項目に記入された事項が一体化して見やすくなっていることにより、住宅ローンの借り換えの可否が一目瞭然で判断できる。
【課題を解決するための手段】
【０００４】  本考案は「家族構成」記入欄を作成し、その下に「年収」記入欄と「現状の借入金額」記入欄を作成する。記入された「家族構成」・「年収」・「現状の借入金額」が縦方向に見やすく配置されていることにより問題点を解決している。
【考案を実施するための形態】
【０００５】  以下図面にしたがって説明をする。まず図１の基本的事項の記入欄１には住所記入欄１１、氏名記入欄１２、生年月日記入欄１３、電話番号記入欄１４を設ける。
【０００６】  次に図２の「家族構成」記入欄２には年令記入欄２１、職業記入欄２２を設ける。職業記入欄２２には典型的な例として「会社員・会社役員・公務員・団体職員・個人事業主・無職・契約社員・派遣社員・パート」の複数の選択事項２３が印刷されている。
【０００７】  図３の「年収」記入欄３には、過去３年の年収記入欄３１、勤続年数記入欄３２を設ける。
【０００８】  図４の「現状の借入金額」記入欄４には、借入銀行記入欄４１、ローン残高記入欄４２、ローン残年数記入欄４３、当初借入額記入欄４４、当初自己資金額記入欄４５、返済開始年月記入欄４６、金利タイプ記入欄４７、現在の返済額記入欄４８、現在のローン返済の物件記入欄４９、その他のローン記入欄５０を設ける。
【０００９】  これらに記入された事項により住宅ローンの借り換えの可否を判断することができる。
【図面の簡単な説明】
【００１０】
【図１】本考案の「住宅ローン借り換え用ヒアリングシート」の全体の正面図である。
【図２】「住宅ローン借り換え用ヒアリングシート」の上部分の「家族構成」記入欄の正面図である。
【図３】「住宅ローン借り換え用ヒアリングシート」の中間部分の「年収」記入欄の正面図である。
【図４】「住宅ローン借り換え用ヒアリングシート」の下部分の「現状の借入金額」記入欄の正面図である。
【符号の説明】
【００１１】  １基本的事項の記入欄
２「家族構成」記入欄
３「年収」記入欄
４「現状の借入金額」記入欄
【図１】
0003175293.tif 000003
【図２】
0003175293.tif 000004
【図３】
0003175293.tif 000005
【図４】
0003175293.tif 000006
【手続補正書】
【提出日】平成24年2月6日(2012.2.6)
【手続補正１】
【補正対象書類名】実用新案登録請求の範囲
【補正対象項目名】請求項１
【補正方法】変更
【補正の内容】
【請求項１】
年齢を記入できる余白を有する年齢記入欄とこの年齢記入欄に右横方向に隣接して現在の職業を選択記入できる職業記入欄を備える「家族構成」記入欄と、この「家族構成」記入欄に縦下方向に隣接して過去３年分の年収が記入できる余白を有する年収記入欄とこの年収記入欄と横右方向に隣接して勤続年数を記入できる余白を有する勤続年数記入欄を備える「年収」記入欄と、この「年収」記入欄と縦下方向に隣接してローン残高を記入できる余白を有するローン残高記入欄とこのローン残高記入欄に横右方向に隣接してローンの残年数を記入できる余白を有するローン残年数記入欄とこのローン残年数記入欄と縦下方向に隣接して当初の借入額を記入できる余白を有する当初借入額記入欄とこの当初借入額記入欄と縦下方向に隣接して現在の金利を記入できる余白を有する現在の金利記入欄を備えた「借入金額」記入欄を特徴とする「住宅ローンの借り換えの可否」を判断するヒアリングシート。
(57)【要約】      （修正有）【課題】あらゆるパイプの口径に合致するボール部のキャップを提供する。【解決手段】厚さ２ｍｍ〜３ｍｍ程度の円形２１ｍｍと２４ｍｍと２７ｍｍの３種類で刻みタバコ用パイプの口径に合致し、喫煙後ボール内にカーボンが付着しボール口径が変化しても、革製であるため湾曲し口径に合致する。キャップ脱着には中心に革製の紐が着けられており、紐を引っ張れば容易に外れる。【選択図】図１
0003175297.tif 000002
【実用新案登録請求の範囲】
【請求項１】
天然皮革で製造された喫煙具における刻みたばこ用パイプのボール部のキャップ
【考案の詳細な説明】
【技術分野】
【０００１】この考案は、喫煙具に関し、刻みタバコ葉用のパイプにおけるタバコ葉を詰めて燃やすボール部（以下：「ボール」と表記）のキャップ（蓋）に関する。
【背景分野】
【０００２】従来のパイプキャップに天然皮革製のものが無く、かつ無段階にボール径に合致する保存キャップが存在しなかった。またパイプの旨み香味は、喫煙を重ねるとボール内に形成されるカーボン（タバコが煙硝し炭素化してボール内部に付着する炭のこと  以下：「カーボン」と表記）により水分を吸収しより旨みが増すことに由縁し、ボール内径が変化することが固定キャップがしずらく、合致するキャップを探すのが困難であった背景にある。
【考案の概要】
【０００３】喫煙具における刻みタバコ用パイプのボール（タバコ葉を詰める部分）のキャップ（蓋）を可変（湾曲）性のある天然皮革素材で製造し提供すること。
【考案が解決しようとする課題】
【０００４】喫煙具における刻みタバコ用パイプの保管及び運搬時に、タバコの葉を詰め燃やす部ボール内の保護及び水分や埃等混入物の遮断と、またボール内の匂い、水分、灰、タバコ葉の放流出を防ぐためのキャップであり、さらにパイプのボール口径は種類によって異なり、さらに喫煙を重ねる毎にボール内にカーボンが付着し口径が変化することにより、装着部に可変性の無いキャップ（例えば木やコルクなど）は使用できなくなり、ボール口径が変化するパイプにキャップを合致させるのが困難であったため、あらゆるパイプの口径に合致するボール部のキャップを提供することが課題である。
【課題を解決するための手段】
【０００５】厚さ２ｍｍ〜３ｍｍ程度の円形２１ｍｍと２４ｍｍと２７ｍｍの３種類で刻みタバコ用パイプの口径に合致し、喫煙後ボール内にカーボンが付着しボール口径が変化しても、革製であるため湾曲し口径に合致する。キャップ脱着には中心に革製の紐が着けられており、紐を引っ張れば容易に外れる。
【考案の効果】
【０００６】パイプキャップを革製としたため無段階に可変性があり、カーボンが付着することにより香味が増す仕組みの喫煙具パイプでは、変化するボール内部内径に革が湾曲しボール内径に常に合致してゆく。また、天然皮革は熱に強い為、喫煙直後でも使用に耐えられ耐久性もある。脱着用には円形の中心に紐を通す穴（３〜４ｍｍ程度）が空けられ、そこに革紐を取り付けることにより脱着が容易にできるものとした。喫煙後にキャップをすることにより、余剰着火や火事の危険性が少なくなり、安全性も向上する。パイプの運搬中にボール内の匂いや灰などがこぼれにくくなることによりポケットやポーチ内が汚れにくく、広く応用できる。
【図面の簡単な説明】
【０００７】
【図１】「天然皮革製パイプキャップを示した平面図である」
【図２】「天然皮革製パイプキャップを示した断面図である」
【考案を実施するための形態】
【０００８】この考案は、口径に種類が多いパイプと喫煙を重ねて形成されるボール内のカーボンによりさらに口径が変化する状況で、湾曲する天然皮革の素材性を利用したパイプ専用のキャップである。パイプの携行性、衛星保管性を向上させ、火事からの安全性も向上させる得るものである。尚  製作形成される天然皮革素材は牛革が主に使用される。
【実施例】
【０００９】［図２］の断面図より、装着前は平面（図ａ）だった天然皮革の外径は、外径より２〜６ｍｍ程度小さいボール内径に装着すると図ｂのように湾曲しぴったりとボールに収まる。
【産業上の利用可能性】
【００１０】（公序良俗違反につき、不掲載）
【符号の説明】
【００１１】１）天然皮革製の円形であり、厚さは２ｍｍ〜３ｍｍ程度（天然皮革の為誤差がある）
円の大きさは２１ｍｍ〜２７ｍｍ程度
例）２１ｍｍの円形の場合はボール内径がおおよそ１６〜１９ｍｍ程度
２４ｍｍの円形の場合はボール内径がおおよそ１８〜２２ｍｍ程度
２７ｍｍの円形の場合はボール内径がおおよそ２１〜２５ｍｍ程度にそれぞれ適合
２）ボールよりキャップを脱着させるための革紐を貫通させるための穴
おおよそ３ｍｍ〜４ｍｍ程度（天然皮革の為誤差がある）
紐の長さは、アクセサリー（装飾）の役目もあり５ｃｍ程度〜パイプの全長２０ｃｍ程度
ａ）湾曲する前の断面図
ｂ）ボールに装着後、湾曲した断面図で、湾曲することにより外周径が縮小される。
【図１】
0003175297.tif 000003
【図２】
0003175297.tif 000004
【手続補正書】
【提出日】平成24年2月20日(2012.2.20)
【手続補正１】
【補正対象書類名】明細書
【補正対象項目名】００１０
【補正方法】変更
【補正の内容】
【００１０】  パイプタバコを使用する喫煙者による利用が考えられる。